(57)【特許請求の範囲】
【請求項１】
二又状のプレートから成るアッパーアームとロアーアームとにブレード、フック、スカート等の魚集部材が装着可能な小孔を設けた釣り用ルアーにおいて、二又状に分岐したプレートの先端部から斜め上方向に伸長する外側辺と分岐部から斜め上方向に伸長する内側辺とを延設し、前記先端部と分岐部との間隔を最大縦長とし、前記外側辺と内側辺とで囲まれる平面を徐々に狭めて最小縦長の末端を設けて成る略くさび形アッパーアームと、前記先端部から斜め下方向に伸長する外側辺と分岐部から斜め下方向に伸長する内側辺とを延設し、前記外側辺と内側辺とで囲まれる平面を徐々に狭めて最小縦長の末端を設けて成る略くさび形ロアーアームとを有する釣り用ルアー。
【発明の詳細な説明】
【技術分野】
【０００１】  本発明は、薄地の平板を二又状に分岐したプレートで成形されるスピナーベイト、ジグスピナー、バズベイトに係る釣り用ルアーに関する。
【背景技術】
【０００２】  従来、ハードベイトの釣り用ルアーには、金属製の細線部材を所定形状に屈曲形成してなるワイヤベイトがあった。【０００３】  スピナーベイトは、一本のワイヤを略Ｌ字形状に成形し、そのワイヤの上端に葉っぱに似た金属製のブレードを取り付け、当該ブレードの光沢や派手な振動と音、泡、きらめきで魚を誘う効果があった（例えば、特許文献１参照）。【０００４】  ジグスピナーは、所定方向に分岐した二又状のワイヤに、スピナーブレード、スナップ、錘付きフックなどを取り付け、ライン（釣り糸）で二又状のワイヤを引っ張るとブレードが振動し、魚を誘い出し、横揺れするワイヤの錘付きフックでフッキングするものがあった（例えば、特許文献２参照）。【０００５】  バズベイトは、トップウォーター系のワイヤベイトであって、水流を受けることで浮力を得て、プロペラ型可動ブレードで水面をかき回し、その音と水しぶきで魚を誘う効果があった（例えば、特許文献３参照）。
【先行技術文献】
【特許文献】
【０００６】
【特許文献１】特開平１１−２０６２７４号公報  ４頁  図４
【特許文献２】登録実用新案第３０８１４１３号公報  ２頁  図２
【特許文献３】登録実用新案第３１０９９６３号公報  ５頁  図１
【発明の概要】
【発明が解決しようとする課題】
【０００７】  以上に述べた従来のワイヤベイトは、金属製の細線部材で屈曲形成されているため、浮力に乏しく、横揺れに欠き、しかも、ワイヤの一部を加工した係止部にスナップやスイベルが掛け難い問題点があった。【０００８】  本発明は、従来のワイヤベイトが有する問題点を解消しようとするものであって、プラスチック製、アルミニウム合金製、チタン又はカーボン製による薄地のプレートを利用して、二又状の略くさび形アッパーアームと略くさび形ロアーアームを成形し、前記プレート及び両アームに複数の小孔を穿設したハードベイトであって、浮力を有し、横揺れし、光の反射が得られやすく、スナップやスプリットリング又はスイベル等を掛け易くした、釣り用ルアーの実現を目的とするものである。
【課題を解決するための手段】
【０００９】本発明は、二又状のプレートで成形されたアッパーアームとロアーアームとにブレード、フック、スカート等が装着可能な小孔を穿設した釣り用ルアーにおいて、前記の課題を解決するために、以下の構成を採用した。【００１０】実施例１は、二又状体のプレートで成形されたスピナーベイトであって、当該プレートの先端部は上部から下部の方向へ略１０ｍｍ幅の傾斜辺で形成し、二又状の分岐部は上部から下部の方向へ前記先端部の傾斜辺を略三等分した幅の傾斜辺を形成し、先端部と分岐部との間隔を最大縦長とし、前記先端部の上部から斜め上方向に伸長した外側辺と前記分岐部の上部から斜め上方向に伸長した内側辺とを延設し、前記外側辺と内側辺とで囲まれた平面が徐々に狭められた最小縦長の末端を設けて略くさび形のアッパーアームを形成し、前記先端部の下部から斜め下方向に伸長した外側辺と前記分岐部の下部から斜め下方向に伸長した内側辺とを延設し、前記外側辺と内側辺とで囲まれた平面が徐々に狭められた最小縦長の末端を設けて略くさび形のロアーアームを形成し、なお、前記二又状のプレートには、先端部の縁辺に穿設した複数の小孔と、略くさび形のアッパーアームを形成する内側辺の縁辺に穿設した複数の小孔と、略くさび形のロアーアームを形成する内側辺の縁辺に穿設した複数の小孔とを有する釣り用ルアーである。【００１１】実施例２は、上記二又状体のプレートで成形されるスピナーベイトであって、前記プレートに形成される正面視略くさび形のアッパーアームは、先端部の上部から斜め上方向に伸長する外側辺の中央部を斜め上方向に屈折して設け、分岐部の上部から斜め上方向に伸長する内側辺の中央部を斜め上方向に屈折させて設け、前記外側辺と内側辺とで囲まれた平面を徐々に狭めて末端を設けて正面視略くさび形のアッパーアームを形成し、当該アッパーアームを形成する内側辺の縁辺に複数の小孔を穿設したことを特徴とする釣り用ルアーである。【００１２】実施例３は、上記二又状体のプレートで成形されるスピナーベイトであって、前記プレートに形成される正面視略くさび形のアッパーアームは、当該アッパーアームを形成する内側辺の中央部から水平方向に突き出た正面視略長方形状のサブアームを形成し、当該サブアームの末端に小孔が穿設されたことを特徴とする釣り用ルアーである。【００１３】実施例４は、上記二又状体のプレートで成形されるジグスピナーであって、上記プレートに形成される正面視略くさび形のロアーアームの全長は、上記アッパーアームの全長よりも幅差を短く形成したことを特徴とする釣り用ルアーである。【００１４】実施例５は、上記二又状体のプレートで成形されるバズベイトであって、前記プレートに形成される正面視略くさび形のアッパーアームは、ロアーアームの全長よりも幅差を短く形成し、前記ロアーアームは水平方向に伸長する外側辺と内側辺とで略長方形状に形成し、前記外側辺と内側辺とで囲まれた平面の縁辺に複数の小孔を穿設し、前記アッパーアームの末端に水平方向のシャフトを設け、当該シャフトにバズブレードを取り付け、シャフトの後方に鞘管部材を設け、前記ロアーアームの末端に穿設された小孔に、フットとスカートが装着されたヘッドを固設したことを特徴とする釣り用ルアーである。【００１５】実施例６は、上記二又状体のプレートで成形されるバズベイトであって、前記プレートに形成される正面視略くさび形アッパーアームの全長は、上記ロアーアームの全長よりも幅差を短く形成し、前記アッパーアームの末端に水平方向のシャフトを設け、前記プレートを形成する先端部と分岐部の下部から水平方向に外側辺と内側辺とが伸長する略長方形状のロアーアームを形成し、当該ロアーアームを形成する外側辺の縁辺に複数の小孔を穿設し、当該小孔にスプリットリングを介しトリプルフックを吊り下げ、前記ロアーアームの末端に穿設された小孔に、フックとスカートが装着されたヘッドを固設したことを特徴とする釣り用ルアーである。
【発明の効果】
【００１６】  本発明に係る釣り用ルアーは、薄地で平面状のプレートを二又状に分岐して、正面視略くさび形のアッパーアームとロアーアームとが成形されたものであって、海流、渓流、波の影響を受けやすく、疑似餌の特性を活かしやく、横揺れ、光の反射によるきらめき、水しぶき、音などを発揮させて、魚を誘い出す効果があるため、海流、渓流、波の影響を受けやすく、疑似餌の特性を活かしやすく、横揺れ、光の反射によるきらめき、振動、泡、音などを発揮させて、魚を誘い出す効果があって、海、湖、渓流でのルアーフィッシングを行うのに最適なハードルアーである。【００１７】  また、二又状プレートには、前記先端部の縁辺に穿設した複数の小孔及び正面視略くさび形のアッパーアームやロアーアームの内側辺に穿設した小孔は、海、湖、渓流における対象魚に応じたラインやブレード、スナップ、スプリットリング、スイベル等の引っ掛けや取り換えを容易にしたものである。
【図面の簡単な説明】
【００１８】
【図１】本発明に係る基本構成を示す正面図である。
【図２】本発明の実施例に係るスピナーベイトを示す正面図である。
【図３】本発明の実施例に係るスピナーベイトを示す正面図である。
【図４】本発明の実施例に係るジグスピナーを示す正面図である。
【図５】本発明の実施例に係るバズベイトを示す正面図である。
【図６】本発明の実施例に係るバズベイトを示す正面図である。
【発明を実施するための形態】
【００１９】  本発明はハードルアーに属する釣り用ルアーであって、海釣り、磯釣り、渓流釣りなどを行うに際し利用するもので、スピナーベイト、ジグスピナー、バズベイトの実施形態を図面に基づいて説明する。
【実施例１】
【００２０】  図１は、二又状体のプレート１で成形されるスピナーベイトであって、２は先端部、４は分岐部、５は略くさび形のアッパーアーム、９は略くさび形のロアーアームである。【００２１】本発明に係る二又状体のプレート１は、正面視略くさび形のアッパーアーム５とロアーアーム９とに分岐して成形されたものであって、前記プレート１の先端部２は上部から下部方向へ略１０ｍｍ幅の傾斜辺を形成し、二又状の分岐部４は上部から下部方向に延設する傾斜辺の幅は、前記先端部２の傾斜辺が略三等分された幅差を有する傾斜辺で形成し、先端部２と分岐部４との間を最大縦長とし、先端部２の上部から斜め上方向に伸長する外側辺と、前記分岐部４の上部から斜め上方向に伸長する内側辺とを延設し、前記外側辺と内側辺とで囲まれる平面を徐々に狭めて最小縦長の末端を設けた略くさび形のアッパーアーム５を形成し、また、前記プレート１を形成する先端部２の下部から斜め下方向に伸長する外側辺と、前記分岐部４の下部から斜め下方向に伸長する内側辺とを延設し、前記外側辺と内側辺とで囲まれる平面を徐々に狭めて成る最小縦長の末端を設けて成る略くさび形のロアーアーム９を形成し、また、前記先端部２の縁辺に穿設した複数の小孔３と、前記アッパーアーム５を形成する内側辺の縁辺に穿設した複数の小孔６と、前記ロアーアーム９を形成する内側辺の縁辺に複数の小孔１０を穿設したことを特徴とする、二又状体のプレート１を成形する。【００２２】なお、前記プレート１の先端部２を形成する傾斜辺の縁辺に穿設した小孔３にライン（図示せず）を取り付け、上記アッパーアーム５を形成する内側辺の縁辺に穿設した小孔６にスプリットリング１６やスイベル７を介してブレード８を回転自在に取り付け、また、上記ロアーアーム９を形成する内側辺の縁辺に複数の小孔１０を穿設し、当該小孔１０にフック１１とスカート１２とが装着されるヘッド１３が固設されたことを特徴とする。
【実施例２】
【００２３】  図２は、二又状体のプレート１ａで成形されるスピナーベイトであって、前記プレート１ａを形成する先端部２０の上部から斜め上方向に伸長する外側辺を中央部で斜め上方向に屈折させて設け、また、前記プレート１ａを形成する分岐部４０の上部から斜め上方向に伸長する内側辺を中央部で斜め上方向に屈折させて延設し、前記外側辺と内側辺とで囲まれる平面を徐々に狭めて末端を設けて正面視略くさび形のアッパーアーム５０を形成し、また、前記先端部２０の下部から斜め下方向に伸長する外側辺と前記分岐部４０の下部から斜め下方向に伸長する内側辺とを延設し、下向きの外側辺と内側辺とで囲まれる平面を徐々に狭めて末端を設けて正面視略くさび形のロアーアーム９０を形成し、なお、前記先端部２０の縁辺に穿設した複数の小孔３０と、上記アッパーアーム５０が屈折した中程の内側辺に穿設した複数の小孔６０にスプリットリング１６０やスイベル７０を介してブレード８０を回転自在に取り付け、前記アッパーアーム５０の末端に穿設した小孔６０に、スプリットリング１６０やスイベル７０を介してブレード８０を回転自在に取り付け、また、前記ロアーアーム９０の内側縁辺に複数の小孔１００を穿設し、当該小孔１００にスプリットリング１６０やスイベル７０を介してブレード８０を回転自在に取り付け、前記ロアーアーム９０の末端に、フック１１０とスカート１２０とが装着されるヘッド１３０を固設しても、二又状に分岐された前記アッパーアーム５０とロアーアーム９０とに取り付けた各ブレード８０は、互いに干渉することなく自在に回転するので、前記各ブレード８０が有する光沢と、水流や波による横揺れやきらめきの効果が発揮されて、魚を誘う効果が得られる。
【実施例３】
【００２４】  図３は、二又状体のプレート１ｂで成形されるスピナーベイトであって、前記プレート１ｂを形成する先端部２１は、当該先端部２１の上部から下部方向に伸長する傾斜辺を設け、当該傾斜辺の縁辺に穿設した複数の小孔３１を設け、また、前記プレート１ｂを形成する分岐部４１は、当該分岐部４１の上部から下部方向に伸長する傾斜辺を設け、また、前記先端部２１の下部から斜め下方向に伸長する外側辺と、前記分岐部４１の下部から斜め下方向に伸長する内側辺を設け、当該内側辺の縁辺に複数の小孔１０１を穿設し、前記外側辺と内側辺とで囲まれた平面の末端に小孔（図示せず）を穿設して正面視略くさび形のロアーアーム９１を形成し、また、前記前端部２１の上部から斜め上方向に伸長する外側辺と、前記分岐部４１の上部から斜め上方向に伸長する内側辺の中央部から水平方向に突き出た正面視略長方形状のサブアーム２２を形成し、当該サブアーム２２の末端に小孔６１を穿設して正面視略くさび形のアッパーアーム５１を形成し、なお、先端部２１を形成する傾斜辺の縁辺に小孔３１を穿設し、当該小孔３１にライン（図示せず）を取り付け、また、前記アッパーアーム５１を形成する外側辺と内側辺との末端に穿設した小孔６１に、スプリットリング１６１やスイベル７１を介してブレード８１を回転自在に取り付け、前記ロアーアーム９１を形成する内側辺の縁辺に複熬の小孔１０１を穿設し、当該小孔１０１にスイベル７１を介してブレード８１を回転自在に取り付け、なお、前記ロアーアーム９１の末端に穿設された小孔（図示せず）に、フック１１１とスカート１２１とが装着されるヘッド１３１を固設すると、前記二又状に成形されたアッパーアーム５１とロアーアーム９１とに取り付ける各ブレード８１は、互いに干渉することなく自在に回転するので、各ブレード８１が有する光沢と、水流や波による横揺れやきらめきの効果が発揮されて魚を誘う効果が得られる。【００２５】  図４は、二又状体のプレート１ｃで成形されるジグスピナーであって、前記プレート１ｃを形成する先端部２２は、当該先端部２２の上部から下部方向に傾斜辺を形成し、当該傾斜辺の縁辺に複数の小孔３２を穿設し、前記先端部２２の下部から斜め下方向に伸長する外側辺と、プレート１ｃを形成する分岐部４２の下部から斜め下方向に伸長する内側辺とを延設し、前記外側辺と内側辺とで囲まれた平面を徐々に狭めて末端を設け、前記分岐部４２を形成する内側辺の縁辺に複数の小孔１０２を穿設して、正面視略くさび形のロアーアーム９２を形成し、さらに、前記先端部２２の上部から斜め上方向に伸長する外側辺と上記分岐部４２の上部から斜め上方向に伸長する内側辺とを延設し、前記外側辺と内側辺とで囲まれる平面を徐々に狭めて末端を設け、前記分岐部４２を形成する内側辺の縁辺に複数の小孔６２を穿設して、上記ロアーアーム９２の全長よりも幅差が短い正面視略くさび形のアッパーアーム５２を形成し、前記先端部２２の縁辺に穿設した小孔３２にライン（図示せず）を取り付け、前記アッパーアーム５２の末端に穿設した小孔６２に、スプリットリング１６２やスイベル７２を介してブレード８２を回転自在に取り付け、前記ロアーアーム９２を形成する内側辺の縁辺に��数の小孔１０２を設け、前記ロアーアーム９２を形成する外側辺と内側辺とで囲まれる平面の末端に小孔（図示せず）を設け、当該小孔にスナップ１７を介してフック付ジグヘッド１５を取り付け、前記二又状に成形された前記アッパーアーム５２に取り付けたブレード８２は、水流や波による影響で横揺れの効果が発揮されて、ブレード８２は光の反射によるきらめきで、魚を誘う効果が得られるので、アンダーウォーター系のジグスピナーを実現することができる。【００２６】  上記ジグヘッド１５は、シンカー（おもり）とフックとが一体化したものであって、ライン（図示せず）をリーリングするとブレード８２が回転し、魚を誘い出し、横揺れするフック付ジグヘッド１５でフッキングすることができるので、水面から底までの深さにおいて使用することができる。【００２７】  図５は、二又状体のプレート１ｄで成形されるバズベイトであって、正面視略くさび形によるアッパーアーム５３の全長はロアーアーム９３よりも短く形成し、前記アッパーアーム５３の末端に水平方向のシャフト１８を設け、当該シャフト１８にビーズ１４を介してバズブレード１９を回転自在に取り付け、前記バズブレード１９やビーズ１４のずれ落ちを防ぐ鞘管部材２１をシャフト１８の後方に設け、前記プレート１ｄの先端部２ａと分岐部４３とからロアーアーム９３を水平方向に形成し、当該ロアーアーム９３の長手方向に穿孔した複数の小孔１０３を設け、当該ロアーアーム９３の末端に、フック１１２とスカート１２２とが装着されるヘッド１３２が固設されたことを特徴とする。【００２８】  図６は、二又状体のプレート１ｅで成形されるバズベイトであって、正面視略くさび形によるアッパーアーム５４の全長はロアーアーム９４よりも短く形成し、前記アッパーアーム５４の末端に水平方向のシャフト１８０を設け、当該シャフト１８０にビーズ１４０を介してバズブレード１９０を回転自在に取り付け、前記バズブレード１９０やビーズ１４０のずれ落ち防ぐ鞘管部材２１０をシャフト１８０の後方に設け、前記プレート１ｅの先端２ｂと分岐部４４とからロアーアーム９４を水平方向に形成し、当該ロアーアーム９４を形成する外側辺と内側辺の縁辺に複数の小孔１０４を穿設し、前記内側辺の縁辺に設けた前記小孔１０４にスプリットリング１６３とスイベル７３を介してブレード８３を取り付け、さらに前記外側辺の縁辺に設けた複数の小孔１０４にスプリットリング１６３を介してトリプルフック２０を吊り下げ、前記ロアーアーム９４の末端に穿設した小孔（図示せず）にフック１１３とスカート１２３とが装着されるヘッド１３３を固設したことを特徴とする。【００２９】  上記バズベイトは、渓流、湖、川などで使用されるトップウォーター系の釣り用ルアーであって、上記アッパーアーム５４の末端に取り付けられたバズブレード１９０と水平方向の形成されたロアーアーム９４とによって、水流や波を受けやすく、バズブレード１９０が水面をかき回し、その音と水しぶきで魚を誘う効果がある。
【符号の説明】
【００３０】  １  プレート
２  先端部
３  複数の小孔
４  分岐部
５  アッパーアーム
６  複数の小孔
７  スイベル
８  ブレード
９  ロアーアーム
１０  複数の小孔
１１  フック
１２  スカート
１３  ヘッド
１４  ビーズ
１５  ジグヘッド
【図１】
0005093770.tif 000002
【図２】
0005093770.tif 000003
【図３】
0005093770.tif 000004
【図４】
0005093770.tif 000005
【図５】
0005093770.tif 000006
【図６】
0005093770.tif 000007